(57)【特許請求の範囲】
【請求項１】
携帯電話機の外面を覆うカバー本体と、
該カバー本体に設けられて、電子キーシステムを構成する電子キーの機能部品が組み込まれたモジュール部と、を備え、
前記モジュール部が、前記カバー本体に対して取り外し可能に設けられてなる
ことを特徴とする携帯電話機用カバー。
【請求項２】
前記モジュール部には、前記電子キーの機能部品のうちのアンテナを除く部分が組み込まれ、前記カバー本体には、前記アンテナが一体的に設けられてなる
請求項１に記載の携帯電話機用カバー。
【請求項３】
前記カバー本体が、２つのカバー部材からなる分割体として構成されてなる
請求項１又は２に記載の携帯電話機用カバー。
【請求項４】
前記カバー本体を構成する２つのカバー部材のうちの一方のカバー部材には、その他方のカバー部材との当接面に開口部を有して同開口部から挿入される前記モジュール部を収容する凹部が形成されてなる
請求項３に記載の携帯電話機用カバー。
【請求項５】
前記カバー本体を構成する２つのカバー部材のうちの一方のカバー部材には、その他方のカバー部材との当接面に開口部を有して同開口部から挿入されるメカニカルキーを収容する凹部が形成されてなる
請求項３に記載の携帯電話機用カバー。
【請求項６】
前記カバー本体を構成する２つのカバー部材のうちの一方のカバー部材には、前記モジュール部の動作電源となる電池を露出する態様にて同モジュール部が設けられるとともに、その他方のカバー部材には、前記一方のカバー部材から露出した前記電池を覆うための電池カバーが形成されてなる
請求項３に記載の携帯電話機用カバー。
【請求項７】
前記カバー本体を構成する２つのカバー部材のうちの一方のカバー部材には、その他方の部材との当接面から導出されるかたちでメカニカルキーが一体的に形成されるとともに、その他方のカバー部材には、前記メカニカルキーを収容するための凹部が形成されてなる
請求項３に記載の携帯電話機用カバー。
【発明の詳細な説明】
【技術分野】
【０００１】
本発明は、携帯電話機を保護するための携帯電話機用カバーに関する。
【背景技術】
【０００２】
電子キーを所持したユーザが車両ドアに接近することにより車両ドアの解錠が自動的に実行されるとともに、ユーザが車室内に入ることによりエンジンの始動等が許可される、いわゆる電子キーシステムが周知である。この電子キーシステムでは、車両ドアの周辺に設定された通信エリア、あるいは車室内に設定された通信エリアに電子キーが進入すると、車両に設けられた車載機と電子キーとの間で無線通信が行われるとともに、この無線通信を通じて電子キーの認証が行われる。そして、電子キーの認証が成立すると、車両ドアの解錠やエンジン始動許可などの各種制御が実行される。このような電子キーシステムによれば、ユーザの直接的な手動操作によることなく車両の各種操作が自動的に行われるため、車両の操作にかかる利便性が大きく向上するようになる。
【０００３】
ところで、このような電子キーシステムにあっては、ユーザが電子キーを携帯所持する必要があるため、ユーザの所持品数が増加してしまい、ひいては携帯性が損なわれるおそれがある。
【０００４】
そこで従来は、例えば特許文献１に見られるように、普及率の高い携帯電話機に電子キーの機能を搭載するといった方法などが提案されている。このような方法によれば、ユーザは携帯電話機を所持するだけで車両ドアの解錠などを実行することができるため、電子キーを所持しない分だけ携帯性が向上するようになる。
【先行技術文献】
【特許文献】
【０００５】
【特許文献１】特開２００７−１８１１１９号公報
【発明の概要】
【発明が解決しようとする課題】
【０００６】
このように、携帯電話機に電子キーの機能を搭載することで、確かに携帯性が向上するようにはなる。ただし、既存の携帯電話機には通常、電子キーの機能が搭載されていないため、こうした携帯電話機に電子キーの機能を新たに設けるとなると、携帯電話機のハードウェア及びソフトウェアを大幅に変更したり、あるいは携帯電話機に新たなハードウェアやソフトウェアを追加する必要がある。このため、既存の携帯電話機を所持しているユーザにとっては利用し難いものとなっている。
【０００７】
なお、このような課題は、車両の電子キーシステムに限らず、例えば玄関ドアに設けられた施解錠装置と電子キーとの間の無線通信を通じて玄関ドアの施解錠を行う電子キーシステムにも共通する課題である。
【０００８】
本発明は、こうした実情に鑑みてなされたものであり、その目的は、携帯電話機に電子キーの機能を持たせる際の利便性を向上させることのできる携帯電話機用カバーを提供することにある。
【課題を解決するための手段】
【０００９】
上記課題を解決するために、請求項１に記載の発明は、携帯電話機の外面を覆うカバー本体と、該カバー本体に設けられて、電子キーシステムを構成する電子キーの機能部品が組み込まれたモジュール部と、を備え、前記モジュール部が前記カバー本体に対して取り外し可能に設けられていることを要旨としている。
【００１０】
同構成によれば、ユーザが、電子キーの機能を有していない携帯電話機を所持している場合であっても、携帯電話機にカバー本体を装着するだけで、カバー本体に設けられたモジュール部を通じて電子キーシステムを利用することができる。したがって、携帯電話機のハードウェアやソフトウェアの大幅な変更などを必要とすることなく電子キーシステムを利用することができるため、利便性が向上するようになる。
【００１１】
また、ユーザが携帯電話機を買い換えた際に、買い換え前の携帯電話機に対応するカバー本体からモジュール部を取り外した後、買い換え後の携帯電話機に対応するカバー本体にモジュール部を装着すれば、買い換え後の携帯電話機でも電子キーシステムを利用することができるため、利便性が更に向上するようになる。
【００１２】
請求項２に記載の発明は、請求項１に記載の携帯電話機用カバーにおいて、前記モジュール部には、前記電子キーの機能部品のうちのアンテナを除く部分が組み込まれ、前記カバー本体には、前記アンテナが一体的に設けられていることを要旨としている。
【００１３】
電子キーの機能部品が組み込まれたモジュール部をカバー本体に設けるようにした場合、携帯電話機に設けられた金属体とモジュール部との位置関係によっては次のような問題が生じるおそれがある。すなわち、モジュール部に内蔵されたアンテナを介して無線信号を授受する際に、携帯電話機の金属体によって無線信号の授受が阻害されてしまい、モジュール部において無線信号を適切に授受することができないおそれがある。そしてこのようにモジュール部において無線信号を適切に授受することができない場合、電子キーシステムとして要求される機能に支障をきたすおそれがある。このような問題に対しては、例えば携帯電話機の金属体と干渉しないようにアンテナをモジュール部に配置するといった方法も考えられるが、携帯電話機の金属体の位置は携帯電話機毎にそれぞれ異なるため、全ての携帯電話機に対して最適となるようにアンテナを配置することが難しいといった実情がある。この点、上記構成によるように、カバー本体にアンテナを一体的に設けることとすれば、各種携帯電話機に対応するカバー毎に最適な位置及び形状となるようにアンテナを配置することで、ユーザが携帯電話機の買い換えの際にそのカバーを変更するだけで、上述した携帯電話機の金属体による無線通信への影響を低減することができる。このため、モジュール部が安定した無線通信を行うことができるようになる。
【００１４】
そしてこの場合、請求項３に記載の発明によるように、前記カバー本体が、２つのカバー部材からなる分割体として構成されている、といった構成を採用すれば、カバー本体を携帯電話機に装着する際の利便性が高められるようになる。
【００１５】
請求項４に記載の発明は、請求項３に記載の携帯電話機用カバーにおいて、前記カバー本体を構成する２つのカバー部材のうちの一方のカバー部材には、その他方のカバー部材との当接面に開口部を有して同開口部から挿入される前記モジュール部を収容する凹部が形成されていることを要旨としている。
【００１６】
同構成によれば、ユーザによって２つのカバー部材が組み付けられた際に、凹部の開口部を他方のカバー部材によって閉塞することができるため、部品点数の増加を回避しつつ、凹部からのモジュール部の脱落を防止することができるようになる。
【００１７】
請求項５に記載の発明は、請求項３に記載の携帯電話機用カバーにおいて、前記カバー本体を構成する２つのカバー部材のうちの一方のカバー部材には、その他方のカバー部材との当接面に開口部を有して同開口部から挿入されるメカニカルキーを収容する凹部が形成されていることを要旨としている。
【００１８】
同構成によれば、携帯電話機にカバーを装着することで、携帯電話機にメカニカルキーを付属させることができるため、利便性が向上するようになる。また、ユーザによって２つのカバー部材が組み付けられた際に、凹部の開口部を他方のカバー部材によって閉塞することができるため、部品点数の増加を回避しつつ、凹部からのメカニカルキーの脱落を防止することができるようにもなる。
【００１９】
請求項６に記載の発明は、請求項３に記載の携帯電話機用カバーにおいて、前記カバー本体を構成する２つのカバー部材のうちの一方のカバー部材には、前記モジュール部の動作電源となる電池を露出する態様にて同モジュール部が設けられるとともに、その他方のカバー部材には、前記一方のカバー部材から露出した前記電池を覆うための電池カバーが形成されていることを要旨としている。
【００２０】
同構成によれば、ユーザによって２つのカバー部材が分離されたとき、モジュール部の電池が一方のカバー部材から露出するため、ユーザは、この露出した部分を把持することで、モジュール部から電池を容易に取り出すことができる。このため、電池交換が容易となる。また、ユーザによって２つのカバー部材が互いに組み付けられたとき、その他方のカバー部材に形成された電池カバーによって電池が覆われるため、電池カバーを別途設ける必要がない。したがって、部品点数を削減することができるようにもなる。
【００２１】
請求項７に記載の発明は、請求項３に記載の携帯電話機用カバーにおいて、前記カバー本体を構成する２つのカバー部材のうちの一方のカバー部材には、その他方の部材との当接面から導出されるかたちでメカニカルキーが一体的に形成されるとともに、その他方のカバー部材には、前記メカニカルキーを収容するための凹部が形成されていることを要旨としている。
【００２２】
同構成によるように、カバー本体を構成する２つの部材のうちの一方の部材にメカニカルキーを一体的に形成することとすれば、部品点数の増加を伴うことなく、携帯電話機用カバーにメカニカルキーを設けることができるようになる。
【発明の効果】
【００２３】
本発明にかかる携帯電話機用カバーによれば、携帯電話機に電子キーの機能を持たせる際の利便性を向上させることができるようになる。
【図面の簡単な説明】
【００２４】
【図１】本発明にかかる携帯電話機用カバーの第１の実施形態について携帯電話機に装着された状態での斜視構造を示す斜視図。
【図２】同第１の実施形態の携帯電話機用カバーについてその分解斜視構造を示す斜視図。
【図３】同第１の実施形態の携帯電話機用カバーについてその斜視構造を示す斜視図。
【図４】同第１の実施形態の携帯電話機用カバーの他の例について携帯電話機に装着された状態での斜視構造を示す斜視図。
【図５】同第１の実施形態の携帯電話機用カバーの他の例についてその分解斜視構造を示す斜視図。
【図６】車両の電子キーシステムのシステム構成を示すブロック図。
【図７】同第１の実施形態の携帯電話機用カバーの変形例についてその分解斜視構造を示す斜視図。
【図８】図７のＡ−Ａ線に沿った断面構造を示す断面図。
【図９】本発明にかかる携帯電話機用カバーの第２の実施形態についてその分解斜視構造を示す斜視図。
【図１０】同第２の実施形態の携帯電話機用カバーについてそのアンテナ部の斜視構造を示す斜視図。
【図１１】図１０のＢ−Ｂ線に沿った断面構造を示す断面図。
【図１２】同第２の実施形態の携帯電話機用カバーの他の例についてその分解斜視構造を示す斜視図。
【図１３】同第２の実施形態の携帯電話機用カバーの他の例についてそのアンテナ部の斜視構造を示す斜視図。
【図１４】図１３のＣ−Ｃ線に沿った断面構造を示す断面図。
【図１５】本発明にかかる携帯電話機用カバーの第３の実施形態についてその分解斜視構造を示す斜視図。
【図１６】同第３の実施形態の携帯電話機用カバーについてその正面構造を示す斜視図。
【図１７】同第３の実施形態の携帯電話機用カバーについてその第２のカバー部材のメカニカルキーを含む断面の構造を示す断面図。
【図１８】本発明にかかる携帯電話機用カバーの第４の実施形態についてその分解斜視構造を示す斜視図。
【図１９】同第４の実施形態の携帯電話機用カバーについてそのカバー部材のボタン電池を含む断面の構造を示す断面図。
【図２０】本発明にかかる携帯電話機用カバーの第５の実施形態についてその分解斜視構造を示す斜視図。
【発明を実施するための形態】
【００２５】
＜第１の実施形態＞
以下、本発明にかかる携帯電話機用カバーの第１の実施形態について図１〜図６を参照して説明する。はじめに、図１及び図２を参照して、本実施形態にかかる携帯電話機用カバーの構造について説明する。なお、図１及び図２に例示する携帯電話機１には、車両の電子キーシステムの電子キーの機能が搭載されていないとする。
【００２６】
図１に示すように、携帯電話機１は、薄型直方体状に形成された携帯電話機であって、その正面には、各種情報を表示したり、当該携帯電話機１にかかる各種操作を行うためのタッチパネル１１と共に、電話などの際に用いられるスピーカ１２や操作ボタン１３を有している。また、当該携帯電話機１の底面には、電話などの際に用いられるマイク（図示略）が配設されている。そしてこの携帯電話機１には、これらタッチパネル１１などの部品を露出する態様にてカバー本体２が装着されており、このカバー本体２によって携帯電話機１の外面が保護されている。
【００２７】
ここで、図２に示すように、本実施形態では、カバー本体２を、携帯電話機１の上部に装着される第１のカバー部材２０と、携帯電話機１の下部に装着される第２のカバー部材２１との分割体として構成することによって、携帯電話機１への装着に際しての利便性が高められている。なお、カバー本体２は、例えばゴムやプラスチックなどによって形成されている。また、第１のカバー部材２０及び第２のカバー部材２１には、これらの部材を一体的に組み付けるための図示しない組み付け構造が形成されている。ここで、第２のカバー部材２１において携帯電話機１の背面を保護する部分となる背面保護部２１ａには、第１のカバー部材２０との当接面２１ｂに開口部２２ａを有する凹部２２が形成されており、この凹部２２に、電子キーシステムの電子キーの機能部品が一体的に組み込まれたモジュール部３が収容される。なお、このモジュール部３は、背面保護部２１ａと同一の板厚からなる直方体状の部材であって、その正面、背面、及び上面が背面保護部２１ａの各面と同一面となるように凹部２２に収容される。また、凹部２２において互いに対向する２つの内壁面には、凹部２２の内側に向けて突出するとともに、上下方向（矢印ａ１，ａ２で示す方向）に延伸された突出部２３がそれぞれ形成されている。一方、モジュール部３の右側壁及び左側壁には、この突出部２３に係合する溝部３０がそれぞれ形成されている。そして、凹部２２の開口部２２ａからモジュール部３を挿入する際に、凹部２２に形成された突出部２３がモジュール部３の溝部３０に係合することによって、モジュール部３が第２のカバー部材２１に組み付けられる。また、図３に示すように、ユーザによって第１及び第２のカバー部材２０，２１が互いに組み付けられると、凹部２２の開口部２２ａが第１のカバー部材２０によって閉塞されるため、凹部２２からのモジュール部３の脱落を防止することができる。また、ユーザによって第１及び第２のカバー部材２０，２１が分離された場合には、凹部２２からモジュール部３を取り出すことができる。
【００２８】
次に、図４及び図５を参照して、携帯電話機１と異なる外形形状を有する携帯電話機用カバーについて説明する。なお、同図４に例示する携帯電話機４にも、車両の電子キーシステムの電子キーの機能が搭載されていないとする。
【００２９】
図４に示すように、この携帯電話機４は、先の図１に例示した携帯電話機１とほぼ同様の外形を有しているが、その上面及び底面に突出部を有しているといった点で携帯電話機１と異なる外形をなしている。そしてこの携帯電話機４の外面には、その外形形状に対応した形状を有するカバー本体５が装着されている。ここで図５に示すように、このカバー本体５は、上記カバー本体２とほぼ同様の構造を有するものであって、基本的には、携帯電話機４の上部に装着される第１のカバー部材５０と、携帯電話機４の下部に装着される第２のカバー部材５１との分割体として構成されている。このうち、第２のカバー部材５１において携帯電話機４の背面を保護する部分となる背面保護部５１ａには、第１のカバー部材５０との当接面５１ｂに開口部５２ａを有して上記凹部２２と同一の形状からなる凹部５２が形成されている。そして、この凹部５２の右側壁及び左側壁にも、モジュール部３の溝部３０に係合する突出部５３がそれぞれ形成されている。したがって、ユーザは、例えば上記携帯電話機１から携帯電話機４に買い換えたとき、先の図２に例示したカバー本体２からモジュール部３を取り外した後、このモジュール部３を図５に例示する凹部５２に挿入すれば、携帯電話機４に対応するカバー本体５にモジュール部３を装着することができる。
【００３０】
次に、図６を参照して、モジュール部３の電気的な構成、並びに同モジュール部３を含めて構成される車両の電子キーシステムの構成、動作について説明する。なお、この車両の電子キーシステムは、車両に搭載された車載機６とモジュール部３との間の無線通信を通じて車両ドアの解錠やエンジン始動許可などを行うシステムである。
【００３１】
図６に示すように、モジュール部３には、車載機６から送信されるＬＦ帯の無線信号（リクエスト信号）を受信するための受信回路３２とともに、リクエスト信号の受信に基づき車載機６に対してＵＨＦ帯の応答信号を送信するための送信回路３４が設けられている。そして、受信回路３２を通じて受信されるリクエスト信号に基づく応答信号の生成、及びこの生成した応答信号の上記送信回路３４を介しての送信制御が、同じくモジュール部３に設けられた制御部３５を通じて統括的に行われる。この制御部３５は、演算処理装置（ＣＰＵ）や不揮発性のメモリ３５ａなどを有してマイクロコンピュータを中心に構成されている。また、このモジュール部３には、ボタン型電池３６が内蔵されており、このボタン型電池３６によって、受信回路３２、送信回路３４、及び制御部３５の動作電源が確保されている。
【００３２】
このような構成からなるモジュール部３にあって、車両ドアの周辺に設定された通信エリアＡ、あるいは車室内に設定された通信エリアＢに対して車載機６からリクエスト信号が発せられているとするときに、ユーザが所持する携帯電話機１あるいは携帯電話機４がこの通信エリアに進入したとすると、車両の電子キーシステムは次のように動作する。すなわちこのシステムでは、車載機６から送信されたリクエスト信号が受信アンテナ３１を介して上記受信回路３２により受信されるとともに、このリクエスト信号が上記制御部３５に伝達される。制御部３５は、こうしてリクエスト信号が伝達されると、内蔵するメモリ３５ａに記憶されている識別コード（ＩＤコード）を含む応答信号を生成してこれを送信回路３４へ伝達して、この応答信号を送信アンテナ３３を介して車載機６に送信する。このようにして応答信号が送信されることにより、車載機６はこれを受信するとともに、受信した応答信号に含まれるＩＤコードと自身に予め登録されているＩＤコードとの照合を行う。そして、互いのＩＤコードが一致することをもって、ドアロック機構を通じて車両ドアを解錠したり、あるいはエンジン始動装置による車載エンジンの始動を許可する。
【００３３】
携帯電話機用カバーとしてのこうした構成によれば、ユーザは、電子キーの機能を有していない携帯電話機１を所持している場合であっても、携帯電話機１に上記カバー本体２を装着するだけで、カバー本体２に設けられたモジュール部３を通じて車両の電子キーシステムを利用することが可能となる。したがって、携帯電話機１のハードウェアやソフトウェアの大幅な変更などを必要とすることなく電子キーシステムを利用することができるため、利便性が向上するようになる。
【００３４】
また、ユーザは、例えば携帯電話機１から先の図５に例示した携帯電話機４に買い換えたとき、携帯電話機１に対応するカバー本体２からモジュール部３を取り外した後、同モジュール部３を携帯電話機４に対応するカバー本体５に装着すれば、携帯電話機４でも電子キーシステムを利用することができるため、利便性が更に向上するようになる。また、モジュール部３に登録されているＩＤコードをそのまま用いることができるため、携帯電話機の買い換えの際に車載機６にＩＤコードを登録する作業を行う必要がないといった点でも利便性が向上するようになる。
【００３５】
以上説明したように、本実施形態にかかる携帯電話機用カバーによれば、以下のような効果が得られるようになる。
（１）携帯電話機１，４の外面を覆うカバー本体２，５に、電子キーの機能部品が組み込まれたモジュール部３を設けることとした。これにより、ユーザは、携帯電話機１，４のハードウェアやソフトウェアの大幅な変更などを必要とすることなく車両の電子キーシステムを利用することができるため、利便性が向上するようになる。
【００３６】
（２）モジュール部３をカバー本体２，５に対して取り外し可能に設けることとした。これにより、ユーザは、携帯電話機を買い換えた場合であっても、買い換え後の携帯電話機に対応するカバー本体にモジュール部３を装着するだけで買い換え後の携帯電話機でも車両の電子キーシステムを利用することができるため、利便性が更に向上するようになる。また、車載機６にＩＤコードを登録する作業を行う必要がないため、こうした点でも利便性が向上するようになる。
【００３７】
（３）カバー本体２を、第１及び第２のカバー部材２０，２１からなる分割体として構成することとした。また、カバー本体５を、第１及び第２のカバー部材５０，５１からなる分割体として構成することとした。これにより、携帯電話機１にカバー本体２を装着する際の利便性、並びに携帯電話機４にカバー本体５を装着する際の利便性が高められるようになる。
【００３８】
（４）第２のカバー部材２１，５１には、第１のカバー部材２０，５０との当接面２１ｂ，５１ｂに開口部２２ａ，５２ａを有して同開口部２２ａ，５２ａから挿入されるモジュール部３を収容する凹部２２，５２をそれぞれ形成することとした。これにより、部品点数の増加を回避しつつ、凹部２２からのモジュール部３の脱落を防止することができるようになる。
【００３９】
（変形例）
図７及び図８に、上記第１の実施形態にかかる携帯電話機用カバーの変形例を示す。
同図７に示されるように、この変形例では、カバー本体２を一体的に形成するようにしている。また、図８に併せ示されるように、カバー本体２において携帯電話機１の背面を保護する部分となる背面保護部２ａには、モジュール部３を脱着可能に収容するための凹部２ｂが形成されている。なお、携帯電話機４に対応するカバー本体５も同様の構成を採用することとする。携帯電話機用カバーとしてのこうした構成によっても、上記第１の実施形態による（１），（２）の効果に準じた効果が得られるようになる。
【００４０】
＜第２の実施形態＞
続いて、本発明にかかる携帯電話機用カバーの第２の実施形態について図９〜図１４を参照して説明する。なお、この第２の実施形態もその基本構造は先の図１〜図５に例示した構造に準ずるものであり、ここでは先の図２に対応する図として、携帯電話機１に対応するカバー本体２の斜視構造を図９に示す。以下、第１の実施形態との相違点を中心に説明する。
【００４１】
上記第１の実施形態のように、電子キーの機能部品が組み込まれたモジュール部３をカバー本体２に設けるようにした場合、携帯電話機１に設けられた金属体とモジュール部３との位置関係によっては次のような問題が生じるおそれがある。すなわち、受信アンテナ３１及び送信アンテナ３３を介してリクエスト信号及び応答信号を授受する際に、携帯電話機１の金属体によってリクエスト信号及び応答信号の授受が阻害されるおそれがある。この場合、モジュール部３においてリクエスト信号及び応答信号の授受を適切に行うことができなくなるため、電子キーシステムとして要求される機能に支障をきたすおそれがある。このような問題に対しては、例えば携帯電話機１の金属体と干渉しないように各アンテナ３１，３３をモジュール部３に配置するといった方法も考えられるが、携帯電話機の金属体の位置は携帯電話機毎に異なるため、全ての携帯電話機に対して最適となるように各アンテナを配置することが難しいといった実情がある。
【００４２】
そこで本実施形態では、電子キーの機能部品のうち、受信アンテナ３１及び送信アンテナ３３をカバー本体に一体的に設けることとしている。また、各携帯電話機に対応するカバーには、最適な位置及び形状となるように受信アンテナ３１及び送信アンテナ３３を設ける。
【００４３】
具体的には、図９に示すように、第１のカバー部材２０において携帯電話機１の背面を保護する部分となる背面保護部２０ａには、上記受信アンテナ３１及び送信アンテナ３３を備えるアンテナ部８がインサート成形などにより埋設されている。図１０に示すように、このアンテナ部８は、受信アンテナ３１及び送信アンテナ３３が実装された基板８０をモールド部材によって封止（モールド）することで構成されている。このうち、受信アンテナ３１は、上記ＬＦ帯のリクエスト信号を直交する３軸方向で各別に受信する３つのコイルアンテナ３１ａ〜３１ｃからなるものであって、各コイルアンテナ３１ａ〜３１ｃは、携帯電話機１にカバー本体２が装着された際に、携帯電話機１の金属体から離間するように図中の位置に配置されている。これにより、コイルアンテナ３１ａ〜３１ｃを介してリクエスト信号を受信する際に、携帯電話機１の金属体の影響を回避することができるため、リクエスト信号を適切に受信することが可能となる。
【００４４】
一方、送信アンテナ３３は、基板８０の外周に沿って環状に配設されるループアンテナからなる。図１０のＢ−Ｂ線に沿った断面構造を図１１に示すように、この送信アンテナ３３には、携帯電話機１に設けられた金属体１ａの外面Ｓ１ｍに対して直交する方向に突出する段差部３３ａが形成されている。これにより、この段差部３３ａにおいて金属体１ａの外面Ｓ１ｍに対して直交する方向に延びる部位３３ｂでは、金属体１ａの外面Ｓ１ｍが導体面として働くため、応答信号の送信に伴い送信アンテナ３３への給電が行われた際に、部位３３ｂの鏡像が金属体１ａ側に形成される。このため、送信アンテナ３３から送信される応答信号の信号強度を強めることができるため、携帯電話機１の金属体によって応答信号の送信が阻害されるような状況であっても、応答信号を的確に送信することができるようになる。
【００４５】
また、図９及び図１０に示されるように、基板８０には、背面保護部２０ａの第２のカバー部材２１との当接面２０ｂから導出される金属ターミナルＴ１，Ｔ２が接続されている。これら金属ターミナルＴ１，Ｔ２は、当該アンテナ部８の入力端子及び出力端子として機能する部分である。
【００４６】
一方、本実施形態のモジュール部３には、電子キーの機能部品のうちの受信アンテナ３１及び送信アンテナ３３を除く要素、すなわち受信回路３２、送信回路３４、制御部３５、及びボタン型電池３６が組み込まれている。また、図９に示されるように、このモジュール部３には、ユーザによって第１及び第２のカバー部材２０，２１が組み付けられた際に上記金属ターミナルＴ１，Ｔ２に接触する端子Ｐ１，Ｐ２が設けられている。そして、これらの端子Ｐ１，Ｐ２に金属ターミナルＴ１，Ｔ２が接触することで、モジュール部３とアンテナ部８とが電気的に接続される。
【００４７】
次に、図１２〜図１４を参照して、上記携帯電話機４のカバー本体５について説明する。図１２は、先の図５に対応する図として、携帯電話機４に対応するカバー本体５の分解斜視構造を示したものである。
【００４８】
同図１２に示されるように、このカバー本体５も、先の図９に例示したカバー本体２とほぼ同様の構造を有している。すなわち、第１のカバー部材５０において携帯電話機４の背面を保護する部分となる背面保護部５０ａには、受信アンテナ３１及び送信アンテナ３３を備えるアンテナ部９がインサート成形などにより埋設されている。図１３に示すように、このアンテナ部９は、受信アンテナ３１を構成するコイルアンテナ３１ａ〜３１ｃ、及び送信アンテナ３３を構成するループアンテナが実装された基板９０をモールド部材によって封止することで構成されている。このうち、コイルアンテナ３１ａ〜３１ｃは、携帯電話機４にカバー本体５が装着された際に携帯電話機４に設けられた金属体から離間するように図中の位置に配置されている。なお、同図１３と先の図１０とを比較して明らかなように、基板９０におけるコイルアンテナ３１ａ〜３１ｃの配置と、基板８０におけるコイルアンテナ３１ａ〜３１ｃの配置とが互いに異なっている。本実施形態ではこのように各種携帯電話機に対応するそれぞれのカバーにおいてコイルアンテナ３１ａ〜３１ｃの配置を適宜変更することにより、全ての携帯電話機でリクエスト信号を適切に受信することができるようになっている。
【００４９】
一方、図１３のＣ−Ｃ線に沿った断面構造を図１４に示すように、送信アンテナ３３にも、応答信号の信号強度を高めるべく、携帯電話機４の金属体４ａが位置する部分に対応してその外面Ｓ２ｍに対して直交する方向に突出する段差部３３ｃが形成されている。なお、同図１４と先の図１１とを比較して明らかなように、この基板９０における段差部３３ｃの位置と、基板８０における段差部３３ａの位置とが互いに異なっている。本実施形態ではこのように各種携帯電話機に対応するそれぞれのカバーにおいて送信アンテナ３３の形状を変更することにより、全ての携帯電話機で応答信号を適切に送信することが可能となっている。
【００５０】
携帯電話機用カバーとしてのこうした構成によれば、ユーザが携帯電話機の買い換えの際にそのカバーを変更するだけで、上述した携帯電話機の金属体による無線通信への影響を低減することができる。このため、モジュール部３が安定した無線通信を行うことができるようになる。
【００５１】
以上説明したように、本実施形態にかかる携帯電話機用カバーによれば、上記第１の実施形態による（１）〜（４）の効果と同等、もしくはそれら効果に準じた効果が得られるとともに、次のような効果が得られるようになる。
【００５２】
（５）カバー本体２，５に、受信アンテナ３１及び送信アンテナ３３を一体的に設けることとした。また、モジュール部３には、電子キーの機能部品のうち、受信アンテナ３１及び送信アンテナ３３を除く電子部品を組み込むこととした。これにより、ユーザが携帯電話機の買い換えの際にそのカバーを変更するだけで、モジュール部３が安定した無線通信を行うことができるようになる。
【００５３】
（６）カバー本体２，５では、携帯電話機１，４の金属体から離間するようにコイルアンテナ３１ａ〜３１ｃを配置することとした。これにより、携帯電話機１，４の金属体による無線通信への影響を回避することができるため、リクエスト信号を適切に受信することができるようになる。
【００５４】
（７）送信アンテナ３３には、携帯電話機１，４の金属体の位置に対応してその外面Ｓ１ｍ，Ｓ２ｍに対して直交する方向に突出する段差部３３ａ，３３ｃを形成することとした。これにより、送信アンテナ３３から送信される応答信号の信号強度を強めることができるため、応答信号を的確に送信することができるようになる。
【００５５】
＜第３の実施形態＞
続いて、本発明にかかる携帯電話機用カバーの第３の実施形態について図１５〜図１７を参照して説明する。なお、この第３の実施形態もその基本構造は先の図１〜図４に例示した構造に準ずるものであり、ここでは先の図２に対応する図として、携帯電話機１に対応するカバー本体２の分解斜視構造を図１５に示す。以下、第１の実施形態との相違点を中心に説明する。
【００５６】
同図１５に示されるように、本実施形態では、第２のカバー部材２１の背面保護部２１ａの内部に上記モジュール部３をインサート成形することとしている。また、背面保護部２１ａには、第１のカバー部材２０との当接面２１ｂから携帯電話機１との当接面２１ｃにかけて開口部を有する凹部２４が形成されている。そして、図１６に併せ示されるように、第２のカバー部材２１は、開口部２４ａから矢印ａ１で示す方向に挿入されるメカニカルキー７の全体を凹部２４の内部に収容する構造となっている。ちなみに、メカニカルキー７は、例えば車両ドアの施解錠などを機械的に行う際に車両ドアに設けられたキーシリンダに挿入されるものであって、図１５に示されるように、ユーザが把持する部分となるグリップ部７１と、キー溝の形成されたキープレート７２とを有している。このうち、グリップ部７１において、キープレート７２が導出される端部と反対側の端部には、矢印ａ１で示す方向と直交する方向、すなわち凹部２４への挿入方向と直交する方向に突出する把持部７１ａが形成されている。また、このグリップ部７１において、凹部２４の内壁面との当接面には、突出部７１ｂが形成されている。一方、上記背面保護部２１ａには、凹部２４にメカニカルキー７が収容された際に上記突出部７１ｂが挿入される部分として、上記凹部２４の内部から当接面２１ｃに貫通する貫通孔２１ｄが形成されている。そして、この第２のカバー部材２１では、背面保護部２０ａに形成された貫通孔２１ｄにメカニカルキー７の突出部７１ｂが係合することによって、メカニカルキー７が凹部２４に収容された状態で保持される。このため、凹部２４からのメカニカルキー７の脱落を防止することができる。
【００５７】
このような構成からなるカバー本体２にあって、凹部２４にメカニカルキー７が収容されている状態でユーザによって第１及び第２のカバー部材２０，２１が組み付けられたとする。このとき、図１６に示されるように、凹部２４の開口部２４ａが第１のカバー部材２０によって閉塞されるため、凹部２４からのメカニカルキー７の脱落を防止することができる。
【００５８】
また、凹部２４からメカニカルキー７を取り出す際には、図１７に示すように、第１及び第２のカバー部材２０，２１を互いに分離した上で、凹部２４から露出したメカニカルキー７の把持部７１ａに指を引っ掛けてこれを押せば、メカニカルキー７に対して矢印ａ２で示す方向の外力を容易に印加することができる。そして、その外力によって、背面保護部２０ａに形成された貫通孔２１ｄとメカニカルキー７の突出部７１ｂとの係合を解除すれば、凹部２４からメカニカルキー７を取り出すことができる。
【００５９】
以上説明したように、本実施形態にかかる携帯電話機用カバーによれば、上記第１の実施形態による（１），（３）の効果と同等、もしくはそれらに準じた効果が得られるとともに、次のような効果が得られるようになる。
【００６０】
（８）第２のカバー部材２１には、第１のカバー部材２０との当接面２１ｂに開口部２４ａを有して同開口部２４ａから挿入されるメカニカルキー７を収容する凹部２４を形成することとした。これにより、携帯電話機１にカバー本体２を装着すれば、携帯電話機１にメカニカルキー７を付属させることができるため、利便性が向上するようになる。また、部品点数の増加を回避しつつ、凹部２４からのメカニカルキー７の脱落を防止することができるようにもなる。
【００６１】
（９）メカニカルキー７の端部には、把持部７１ａを形成することとした。また、メカニカルキー７を、把持部７１ａが露出する態様にて凹部２４に収容することとした。これにより、把持部７１ａを押すだけで凹部２４からメカニカルキー７を取り出すことができるため、メカニカルキー７の取り出しが容易となる。
【００６２】
（１０）メカニカルキー７と凹部２２との当接面には、突出部７１ｂ及び貫通孔２１ｄからなる凹凸係合構造を設けることとした。これにより、メカニカルキー７を凹部２２に収容した状態で保持することができるため、凹部２２からのメカニカルキー７の脱落を防止することができるようになる。
【００６３】
＜第４の実施形態＞
続いて、本発明にかかる携帯電話機用カバーの第４の実施形態について図１８及び図１９を参照して説明する。なお、この第４の実施形態もその基本構造は先の図１〜図４に例示した構造に準ずるものであり、ここでは先の図２に対応する図として、携帯電話機１に対応するカバー本体２の斜視構造を図１８に示す。
【００６４】
同図１８に示されるように、本実施形態でも、上記第３の実施形態と同様に、第２のカバー部材２１の背面保護部２１ａの内部に、上記モジュール部３をインサート成形することとしている。このモジュール部３には、その動作電源となるボタン型電池３６の正面に設けられた正極端子及びその背面に設けられた負極端子にそれぞれ接触するターミナル３８，３９が設けられており、これらのターミナル３８，３９によってボタン型電池３６が挟持されている。また、第２のカバー部材２１の背面保護部２１ａには、ターミナル３８，３９共々、ボタン型電池３６を露出するための凹部２５が形成されている。一方、第１のカバー部材２０の当接面２０ｂには、ユーザによって第１及び第２のカバー部材２０，２１が組み付けられたときに凹部２５の正面側の部分及び背面側の部分を覆うための電池カバー２６が形成されている。そして、図１９に示すように、ユーザによって第１及び第２のカバー部材２０，２１が組み付けられたときに電池カバー２６によってボタン型電池３６及びターミナル３８，３９が覆われて、それらが外部から保護される。
【００６５】
携帯電話機用カバーとしてのこうした構成によれば、ユーザが第１及び第２のカバー部材２０，２１を分離した際に、ボタン型電池３６がカバー本体２から露出するため、ユーザは、この露出した部分を把持することで、モジュール部３からボタン型電池３６を容易に取り出すことができる。このため、電池交換が容易となる。また、ユーザによって第１及び第２のカバー部材２０，２１が組み付けられたときに、第１のカバー部材２０に形成された電池カバー２６によってボタン型電池３６が覆われるため、電池カバーを別途設ける必要がない。このため、部品点数を削減することができるようにもなる。
【００６６】
以上説明したように、本実施形態にかかる携帯電話機用カバーによれば、上記第１の実施形態による（１），（３）の効果と同等、もしくはそれらに準じた効果が得られるとともに、次のような効果が得られるようになる。
【００６７】
（１１）第２のカバー部材２１には、モジュール部３の動作電源となるボタン型電池３６の正極端子及び負極端子を露出する態様にて同モジュール部３を設けることとした。これにより、第２のカバー部材２１からボタン型電池３６を容易に取り出すことができるため、電池交換が容易となる。
【００６８】
（１２）第１のカバー部材２０には、凹部２５から露出したボタン型電池３６を覆うための電池カバー２６を形成することとした。これにより、電池カバーを別途設ける必要がないため、部品点数を削減することができるようになる。
【００６９】
＜第５の実施形態＞
続いて、本発明にかかる携帯電話機用カバーの第５の実施形態について図２０を参照して説明する。なお、この第５の実施形態もその基本構造は先の図１〜図４に例示した構造に準ずるものであり、ここでは先の図２に対応する図として、携帯電話機１に対応するカバー本体２の分解斜視構造を図２０に示す。
【００７０】
同図２０に示されるように、本実施形態では、第１のカバー部材２０の背面保護部２０ａに、当接面２０ｂから導出されるかたちでメカニカルキー２７を一体的に形成することとしている。なお、本実施形態では、メカニカルキー２７の強度を確保すべく、カバー本体２が硬質樹脂材料などにより形成されている。また、第２のカバー部材２１の背面保護部２１ａには、第１のカバー部材２０との当接面２１ｂに開口部２８ａを有する凹部２８が形成されている。そして、このカバー本体２は、ユーザによって第１及び第２のカバー部材２０，２１が組み付けられた際に、第２のカバー部材２１の凹部２８にメカニカルキー２７が収容される構造となっている。なお、本実施形態でも、上記第３及び第４の実施形態と同様に、第２のカバー部材２１の内部に上記モジュール部３をインサート成形することとしている。
【００７１】
携帯電話機用カバーとしてのこうした構成によれば、部品点数の増加を伴うことなく、カバー本体２にメカニカルキー２７を付属させることができるようになる。
以上説明したように、本実施携帯にかかる携帯電話機用カバーによれば、上記第１の実施形態による（１），（３）の効果と同等、もしくはそれらに準じた効果が得られるとともに、次のような効果が得られるようになる。
【００７２】
（１３）第１のカバー部材２０には、当接面２０ｂから導出されるかたちでメカニカルキー２７を一体的に形成することとした。また、第１のカバー部材２０には、メカニカルキー２７を収容するための凹部２８を形成することとした。これにより、部品点数の増加を伴うことなく、カバー本体２にメカニカルキー２７を付属させることが可能となる。
【００７３】
＜他の実施形態＞
なお、上記各実施形態は、これを適宜変更した以下の形態にて実施することもできる。
・上記第１及び第２の実施形態及びその変形例では、モジュール部３を第２のカバー部材２１に対して取り外し可能に設けることとしたが、これに代えて、第３〜第５の実施形態と同様に、モジュール部３を第２のカバー部材２１に一体的に設けてもよい。
【００７４】
・上記第２の実施形態では、アンテナ部８，９を第１のカバー部材２０，５０に設けることとしたが、これに代えて、例えば第２のカバー部材２１，５１に設けてもよい。
・上記第２の実施形態では、送信アンテナ３３に段差部３３ａ，３３ｃを形成することとしたが、例えば応答信号の送信に対して携帯電話機１，４の金属体の影響が小さい場合には、これらの段差部３３ａ，３３ｃを省略してもよい。すなわちこの場合には、コイルアンテナ３１ａ〜３１ｃの配置を携帯電話機のカバー毎に変更するといった構造のみを採用してもよい。また、例えばリクエスト信号の受信に対して携帯電話機１，４の金属体の影響が小さい場合には、基板８０，９０上のコイルアンテナ３１ａ〜３１ｃの位置をそれぞれ同一の位置としてもよい。すなわちこの場合には、送信アンテナ３３の段差部の位置を携帯電話機のカバー毎に変更するといった構造のみを採用してもよい。
【００７５】
・上記第２〜第５の実施形態では、カバー本体２を第１及び第２のカバー部材２０，２１からなる分割体として構成することとしたが、これに代えて、第１の実施形態の変形例のように、カバー本体２を一体的に形成してもよい。
【００７６】
・上記第３の実施形態では、第２のカバー部材２１にメカニカルキー７を収容することとしたが、これに代えて、例えば第１のカバー部材２０にメカニカルキー７を収容してもよい。
【００７７】
・上記第３の実施形態では、メカニカルキー７の突出部７１ｂを第２のカバー部材２１の貫通孔２１ｄに係合させることで、凹部２２からのメカニカルキー７の脱落を防止することとしたが、このような凹凸係合構造を省略することも可能である。また、メカニカルキー７の端部に把持部７１ａを形成することとしたが、同把持部７１ａを省略することも可能である。このような構成であっても、上記第３の実施形態による（８）の効果を奏することは可能である。
【００７８】
・上記第３〜第５の実施形態では、モジュール部３をカバー本体２に一体的に設けることとしたが、これに代えて、第１及び第２の実施形態と同様に、モジュール部３を第２のカバー部材２１に対して取り外し可能に設けてもよい。
【００７９】
・上記第４の実施形態では、ボタン型電池３６の正面側の部分及び背面側の部分を露出する構造を採用したが、これに代えて、例えばその正面側の部分だけを露出する構造、あるいはその背面側の部分だけを露出する構造を採用してもよい。このような構造であっても、ボタン型電池３６の露出した部分を把持することができるため、電池交換が容易となる。
【００８０】
・上記第４の実施形態では、電池カバー２６を第１のカバー部材２０に形成することとしたが、これに代えて、例えばボタン型電池３６及びモジュール部３を第１のカバー部材２０に設けた場合には、電池カバーを第２のカバー部材２１に形成してもよい。
【００８１】
・上記第５の実施形態では、第１のカバー部材２０にメカニカルキー２７を形成することとしたが、これに代えて、例えば第２のカバー部材２１にメカニカルキーを形成してもよい。
【００８２】
・上記各実施形態では、第２のカバー部材２１にモジュール部３を設けることとしたが、これに代えて、例えば第１のカバー部材２０にモジュール部３を設けてもよい。
・上記各実施形態では、本発明にかかる携帯電話機用カバーを、薄板状の携帯電話機１，４のカバーに適用したが、これに代えて、例えば折りたたみ式の携帯電話機のカバーなど、適宜の携帯電話機のカバーに適用することが可能である。
【００８３】
・上記各実施形態では、本発明にかかる携帯電話機用カバーを、車載機との間でリクエスト信号及び応答信号を授受することで電子キーの認証を行う電子キーシステムに利用したが、これに代えて、例えばトランスポンダ通信を通じて電子キーの認証を行う電子キーシステムに利用することも可能である。この場合、上記車載機６には、駆動電波を発信するイモビライザを設ける。また、上記モジュール部３には、イモビライザから発信される駆動電波を受信することにより駆動電源を得て起動するとともに起動時にＩＤコードを含む無線信号を送信するトランスポンダを設ける。このような電子キーシステムに本発明にかかる携帯電話機用カバーを適用した場合であっても、上記各実施形態による各種効果と同等、あるいはそれに準じた効果を奏することが可能である。
【００８４】
・上記各実施形態では、本発明にかかる携帯電話機用カバーを車両の電子キーシステムに利用することとしたが、これに代えて、例えば玄関ドアの施解錠を行う電子キーシステムに利用してもよい。
【００８５】
＜付記＞
次に、上記実施形態及びその変形例から把握できる技術的思想について追記する。
（イ）前記アンテナが、コイルアンテナからなる受信用のアンテナであって、前記カバー本体には、前記携帯電話機に設けられた金属体と離間する態様にて前記コイルアンテナが配置されてなることを特徴とする携帯電話機用カバー。同構成によれば、カバー本体に一体的に設けられたアンテナがコイルアンテナからなる受信用のアンテナである場合に、携帯電話機の金属体による無線通信への影響を回避することができるため、無線信号の受信を適切に行うことができるようになる。
【００８６】
（ロ）前記アンテナが、ループアンテナからなる送信用のアンテナであって、同ループアンテナには、前記携帯電話機に設けられた金属体の位置に対応して同金属体の外面に対して直交する方向に突出する段差部が形成されてなることを特徴とする携帯電話機用カバー。同構成によれば、カバー本体に一体的に設けられたアンテナがループアンテナからなる送信用のアンテナである場合に、同ループアンテナの段差部に対して携帯電話機の金属体の外面が導体面として働く。このため、無線信号の送信に伴いループアンテナへの給電が行われた際に、段差部の鏡像が携帯電話機の金属体に形成されるため、ループアンテナから送信される無線信号の強度を強めることができる。したがって、携帯電話機の金属体によって無線信号の送信が阻害されるような状況であっても、無線信号を的確に送信することができるようになる。
【００８７】
（ハ）前記凹部に前記メカニカルキーが挿入される方向を挿入方向とするとき、前記メカニカルキーには、前記挿入方向と直交する方向に突出する把持部が形成されるとともに、同メカニカルキーは、前記把持部が露出する態様にて前記凹部に収容されてなることを特徴とする携帯電話機用カバー。同構成によれば、メカニカルキーが凹部に収容されているときに、メカニカルキーの把持部を押すだけで凹部からメカニカルキーを取り出すことができるため、メカニカルキーの取り出しが容易となる。
【００８８】
（ニ）前記メカニカルキーと前記凹部との当接面には、凹凸係合構造が設けられてなることを特徴とする携帯電話機用カバー。同構成によれば、メカニカルキーと凹部との当接面に設けられた凹凸係合構造により、カバー本体を構成する２つの部材のうちの一方のカバー部材とメカニカルキーとが互いに係合するため、メカニカルキーを凹部に収容した状態で保持することができる。このため、凹部からのメカニカルキーの脱落を防止することができるようになる。
【００８９】
（ホ）前記電池はボタン型電池であって、前記一方のカバー部材には、前記ボタン型電池の正極端子及び負極端子を露出する態様にて前記モジュール部が設けられてなることを特徴とする携帯電話機用カバー。同構成によれば、より容易に電池を取り出すことが可能となるため電池交換が更に容易となる。
【符号の説明】
【００９０】
Ａ，Ｂ…通信エリア、Ｐ１，Ｐ２…端子、Ｔ１，Ｔ２…金属ターミナル、１，４…携帯電話機、１ａ，４ａ…金属体、２，５…カバー本体、２ａ…背面保護部、２ｂ…凹部、３…モジュール部、６…車載機、７…メカニカルキー、８，９…アンテナ部、１１…タッチパネル、１２…スピーカ、１３…操作ボタン、２０…第１のカバー部材、２０ａ，２１ａ…背面保護部、２０ｂ，２１ｂ，２１ｃ，５１ｂ…当接面、２１…第２のカバー部材、２１ｄ…貫通孔、２２，２４，２５，２８，５２…凹部、２２ａ，２４ａ，２８ａ，５２ａ…開口部、２３，５３…突出部、２６…電池カバー、２７…メカニカルキー、３０…溝部、３１…受信アンテナ、３１ａ〜３１ｃ…コイルアンテナ、３２…受信回路、３３…送信アンテナ、３３ａ，３３ｃ…段差部、３３ｂ…部位、３４…送信回路、３５…制御部、３５ａ…メモリ、３６…ボタン型電池、３８，３９…ターミナル、５０…第１のカバー部材、５０ａ，５１ａ…背面保護部、５１…第２のカバー部材、７１…グリップ部、７１ａ…把持部、７１ｂ…突出部、７２…キープレート、８０，９０…基板。
【図１】
0005513346.tif 000002
【図２】
0005513346.tif 000003
【図３】
0005513346.tif 000004
【図４】
0005513346.tif 000005
【図５】
0005513346.tif 000006
【図６】
0005513346.tif 000007
【図７】
0005513346.tif 000008
【図８】
0005513346.tif 000009
【図９】
0005513346.tif 000010
【図１０】
0005513346.tif 000011
【図１１】
0005513346.tif 000012
【図１２】
0005513346.tif 000013
【図１３】
0005513346.tif 000014
【図１４】
0005513346.tif 000015
【図１５】
0005513346.tif 000016
【図１６】
0005513346.tif 000017
【図１７】
0005513346.tif 000018
【図１８】
0005513346.tif 000019
【図１９】
0005513346.tif 000020
【図２０】
0005513346.tif 000021